Podtech/llm-jp-corpus-v4-ja_patent huggingface dataset:
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
撮影光学系の焦点状態を検出する焦点検出手段と、
焦点検出の信頼度を判定する信頼度判定手段と、
前記撮影光学系の絞りの開口を制御する制御手段と、を備え、
前記制御手段は、前記絞りの開口が第１の絞り開口状態に制御された状態で行われた前記焦点検出の信頼度が閾値よりも低いと前記信頼度判定手段により判定された場合、前記第１の絞り開口状態よりも前記絞りが絞り込まれた第２の絞り開口状態に変更するように制御し、且つ所定の条件を満たす場合には、前記第２の絞り開口状態に変更しないように制御することを特徴とする撮像装置。
【請求項２】
前記焦点検出手段による焦点検出の結果に基づいて、前記撮影光学系のフォーカスレンズを駆動して焦点調節を行う焦点調節手段をさらに備えることを特徴とする請求項１に記載の撮像装置。
【請求項３】
前記第２の絞り開口状態に変更する場合、前記絞り制御手段は前記絞りを前記第２の絞り開口状態へ変更し、前記焦点検出手段は、前記第２の絞り開口状態で前記焦点検出を行うことを特徴とする請求項２に記載の撮像装置。
【請求項４】
前記焦点調節手段は、前記第２の絞り開口状態で行われた前記焦点検出の結果に基づいて、前記フォーカスレンズを駆動することを特徴とする請求項３に記載の撮像装置。
【請求項５】
前記第１の絞り開口状態における前記フォーカスレンズの駆動速度よりも、前記第２の絞り開口状態における前記フォーカスレンズの駆動速度の方が速いことを特徴とする請求項２乃至４のいずれか１項に記載の撮像装置。
【請求項６】
前記焦点調節手段の焦点調節にかかる時間に関する情報に基づいて、前記第１の絞り開口状態から前記第２の絞り開口状態へ変更する場合の前記絞りの絞り込み量を算出する算出手段をさらに備えることを特徴とする請求項２乃至５のいずれか１項に記載の撮像装置。
【請求項７】
前記焦点調節にかかる時間に関する情報は、前記焦点調節手段による焦点調節可能な最大デフォーカス量の情報、前記焦点調節手段による焦点調節可能な範囲の端までのデフォーカス量の情報、前記フォーカスレンズの駆動速度の情報の少なくとも１つであることを特徴とする請求項６に記載の撮像装置。
【請求項８】
前記焦点調節手段による焦点調節可能な範囲の端までのデフォーカス量が第２の所定値より小さい場合に、前記第２の絞り開口状態へ変更を行わないことを特徴とする請求項２乃至７のいずれか１項に記載の撮像装置。
【請求項９】
前記焦点検出手段で用いられる一対の像信号の明暗差が第３の所定値より小さい場合に、前記第２の絞り開口状態への変更を行わないことを特徴とする請求項１乃至８のいずれか１項に記載の撮像装置。
【請求項１０】
被写体の明るさを測光する測光手段をさらに備え、前記測光手段により被写体の明るさが第４の所定値より暗いと判定された場合に、前記第２の絞り開口状態への変更を行わないことを特徴とする請求項１乃至９のいずれか１項に記載の撮像装置。
【請求項１１】
動画を撮影中の場合、前記第２の絞り開口状態への変更を行わないことを特徴とする請求項１乃至１０のいずれか１項に記載の撮像装置。
【請求項１２】
前記絞りを前記第２の絞り開口状態から前記第１の絞り開口状態へ戻す動作を行うか否かを判定する判定手段を有することを特徴とする請求項１乃至１１のいずれか１項に記載の撮像装置。
【請求項１３】
前記判定手段は、前記第２の絞り開口状態において、前記焦点検出手段により検出されたデフォーカス量が第５の所定値より小さくなるまで、絞りを前記第２の絞り開口状態から前記第１の絞り開口状態へ戻す動作を行わないことを特徴とする請求項１２に記載の撮像装置。
【請求項１４】
前記焦点検出の信頼性が第１の所定値より低い場合に、前記フォーカスレンズのサーチ駆動を行うか否かを判定する第２の判定手段をさらに備えることを特徴とする請求項２乃至８のいずれか１項に記載の撮像装置。
【請求項１５】
焦点検出信号を取得する撮像素子をさらに備え、前記撮像素子は、１つの画素について複数の光電変換部を有することを特徴とする請求項１乃至１４のいずれか１項に記載の撮像装置。
【請求項１６】
焦点検出信号を取得する撮像素子をさらに備え、前記撮像素子は、光電変換部の一部が遮光された焦点検出専用の画素を有することを特徴とする請求項１乃至１４のいずれか１項に記載の撮像装置。
【請求項１７】
前記第１の絞り開口状態は、開放状態であることを特徴とする請求項１乃至１６のいずれか１項に記載の撮像装置。
【請求項１８】
撮影光学系の焦点状態を検出する焦点検出工程と、
焦点検出の信頼度を判定する信頼度判定工程と、
前記撮影光学系の絞りの開口を制御する制御工程と、を有し、
前記制御工程では、前記絞りの開口が第１の絞り開口状態に制御された状態で行われた前記焦点検出の信頼度が閾値よりも低いと前記信頼度判定工程において判定された場合、前記第１の絞り開口状態よりも前記絞りが絞り込まれた第２の絞り開口状態に変更するように制御し、且つ所定の条件を満たす場合には、前記第２の絞り開口状態に変更しないように制御することを特徴とする撮像装置の制御方法。
【請求項１９】
請求項１８に記載の制御方法の各工程をコンピュータに実行させるためのプログラム。
【請求項２０】
請求項１８に記載の制御方法の各工程をコンピュータに実行させるためのプログラムを記憶したコンピュータが読み取り可能な記憶媒体。
【手続補正２】
【補正対象書類名】明細書
【補正対象項目名】００１０
【補正方法】変更
【補正の内容】
【００１０】
本発明に係わる撮像装置は、撮影光学系の焦点状態を検出する焦点検出手段と、焦点検出の信頼度を判定する信頼度判定手段と、前記撮影光学系の絞りの開口を制御する制御手段と、を備え、前記制御手段は、前記絞りの開口が第１の絞り開口状態に制御された状態で行われた前記焦点検出の信頼度が閾値よりも低いと前記信頼度判定手段により判定された場合、前記第１の絞り開口状態よりも前記絞りが絞り込まれた第２の絞り開口状態に変更するように制御し、且つ所定の条件を満たす場合には、前記第２の絞り開口状態に変更しないように制御することを特徴とする。
【手続補正書】
【提出日】令和2年2月21日(2020.2.21)
【手続補正１】
【補正対象書類名】明細書
【補正対象項目名】００４６
【補正方法】変更
【補正の内容】
【００４６】
ここで共通取り込みタイミングは、検出装置３０Ｘ、３０Ｙ、３０Ｚを共通宛先とする共通宛先コマンドの受け付けタイミングの後のタイミングであって、少なくとも一つの他の検出装置３０Ｙ、３０Ｚ及び自身の検出装置３０Ｘの検出データの出力期間の前のタイミングである。即ち、当該共通宛先コマンドを受け付けた後であって、検出装置３０Ｘ、３０Ｙ、３０Ｚが検出データを出力する出力期間の前のタイミングである共通取り込みタイミングにおいて、処理回路５０Ｘ、５０Ｙ、５０Ｚは検出データを取り込む。そして、インターフェース４０Ｘ、４０Ｙ、４０Ｚの各々は、共通取り込みタイミングで取り込まれた検出データを、自身のデータ送信順番において出力する。ここで処理回路５０Ｘ、５０Ｙ、５０Ｚは、後述の図１０に示すようにコマンドデコーダー５２を含み、共通宛先コマンドの受け付けタイミングは、コマンドデコーダー５２が、当該共通宛先コマンドを受け付けたと判断したタイミングである。
【手続補正２】
【補正対象書類名】明細書
【補正対象項目名】００６７
【補正方法】変更
【補正の内容】
【００６７】
また検出データＤＹ１、ＤＹ２は、検出装置３０Ｙ１、３０Ｙ２により、図５のＦ２に示す共通取り込みタイミングで取り込まれたデータである。そして例えば外部デバイス８により、検出データＤＹ１とＤＹ２の平均値を求める演算処理が行われる。同様に検出データＤＺ１、ＤＺ２は、検出装置３０Ｚ１、３０Ｚ２により、Ｆ３に示す共通取り込みタイミングで取り込まれる。そして例えば外部デバイス８により、検出データＤＺ１とＤＺ２の平均値を求める演算処理が行われる。
【手続補正書】
【提出日】令和2年3月12日(2020.3.12)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
半導体層、第１の絶縁層、第２の絶縁層、第１の導電層、及び第１の酸化物層を有する半導体装置であって、
前記第１の絶縁層及び前記第１の導電層は、前記半導体層上にこの順で積層して設けられ、且つ、それぞれ上面形状が概略一致し、
前記第１の酸化物層は、前記半導体層、前記第１の絶縁層、及び前記第１の導電層を覆って設けられ、且つ、前記半導体層の前記第１の導電層と重ならない一部と接し、
前記第２の絶縁層は、前記第１の酸化物層を覆って設けられ、
前記半導体層は、インジウム、ガリウム、亜鉛、及び酸素を含み、
前記第１の導電層は、金属または合金を含み、
前記第１の絶縁層は、酸素を含み、
前記第１の酸化物層は、アルミニウムまたはハフニウムと、酸素と、を含み、
前記第２の絶縁層は、水素と、窒素と、を含み、
前記第１の酸化物層は、前記第２の絶縁層よりも厚さが薄い、半導体装置。
【請求項２】
請求項１において、
前記第１の酸化物層は、厚さが０．５ｎｍ以上２０ｎｍ以下である、半導体装置。
【請求項３】
請求項１または請求項２において、
前記第１の絶縁層と前記第１の導電層との間に、第２の酸化物層を有し、
前記第２の酸化物層は、前記第１の絶縁層及び前記第１の導電層と上面形状が概略一致する、半導体装置。
【請求項４】
請求項３において、
前記第１の酸化物層と、前記第２の酸化物層とは、同一の元素を含む、半導体装置。
【請求項５】
請求項３において、
前記第２の酸化物層は、インジウムと、酸素と、を含む、半導体装置。
【請求項６】
請求項１乃至請求項５のいずれか一において、
前記半導体層の原子数比が、Ｉｎ：Ｇａ：Ｚｎ＝１：１：１若しくはその近傍、Ｉｎ：Ｇａ：Ｚｎ＝４：２：３若しくはその近傍、またはＩｎ：Ｇａ：Ｚｎ＝５：１：６若しくはその近傍である領域を有する、半導体装置。
【請求項７】
請求項１乃至請求項６のいずれか一において、
前記半導体層よりも下側に第２の導電層と、
前記半導体層と前記第２の導電層との間に、第３の絶縁層と、を有し、
前記第２の導電層は、前記半導体層と重なる部分を有する、半導体装置。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
オイルが流れる油路を内部に有する油路ボディに、前記油路内を流れるオイルの圧力を計測する油圧センサを取り付ける油圧センサ取付構造であって、
前記油路ボディは、下部ボディと、前記下部ボディの上下方向上側に重ねて配置される上部ボディと、を有し、
前記下部ボディは、前記下部ボディの上面に前記油路と繋がる油路開口部を有し、
前記油圧センサは、センサ本体と、前記センサ本体を覆うセンサケースと、を有し、
前記センサケースは、前記下部ボディの上面に設置され、かつ、前記センサケースの下面に、前記センサケースが前記下部ボディの上面に設置された状態において前記油路開口部と繋がるセンシング穴を有し、
前記油圧センサ取付構造は、
前記油路ボディと、
前記センサケースと、
前記油路ボディと前記センサケースとの間を密封するシール部材と、
を備え、
前記油路ボディは、前記油圧センサの少なくとも一部が上下方向において前記上部ボディと前記下部ボディとの間に配置された状態で前記油圧センサを収容する収容穴部を有し、
前記収容穴部は、
小径穴部と、
前記小径穴部よりも上下方向下側に配置され、内径が前記小径穴部よりも大きい大径穴部と、
を有し、
前記センサケースは、
上下方向に延びる中心軸に沿って配置され、少なくとも一部が前記小径穴部に挿入される柱状部と、
前記柱状部から径方向外側に突出し、前記大径穴部に挿入されるフランジ部と、
を有し、
前記フランジ部は、前記上部ボディの上下方向下側に対向して配置され、
前記シール部材は、前記フランジ部の上下方向上側において前記柱状部を囲む環状であり、前記収容穴部の内側面と前記センサケースとの間を密封する、油圧センサ取付構造。
【請求項２】
前記柱状部の外径は、前記小径穴部の内径よりも小さく、
前記フランジ部の外径は、前記小径穴部の内径よりも大きく、前記大径穴部の内径よりも小さい、請求項１に記載の油圧センサ取付構造。
【請求項３】
前記収容穴部は、前記小径穴部と前記大径穴部との上下方向の間において前記小径穴部と前記大径穴部とを繋ぐ中径穴部を有し、
前記中径穴部の内径は、前記小径穴部の内径よりも大きく、前記大径穴部の内径よりも小さく、
前記シール部材は、前記中径穴部に嵌め込まれる、請求項１または２に記載の油圧センサ取付構造。
【請求項４】
前記柱状部は、前記中径穴部に通され、
前記中径穴部の内周面と前記柱状部の外周面との径方向の間には、第１隙間が設けられ、
前記第１隙間の径方向の寸法は、変形していない状態における前記シール部材の径方向の寸法よりも小さい、請求項３に記載の油圧センサ取付構造。
【請求項５】
前記フランジ部は、前記中径穴部と前記大径穴部との間の第１段差部における上下方向下向きの第１段差面と、上下方向に対向し、
前記第１段差面と、前記小径穴部と前記中径穴部との間の第２段差部における上下方向下向きの第２段差面と、の間の上下方向の寸法は、前記シール部材の上下方向の寸法よりも大きい、請求項３または４に記載の油圧センサ取付構造。
【請求項６】
前記中径穴部の上下方向下側の端部は、上下方向上側から上下方向下側に向かって内径が大きくなる拡径部である、請求項３から５のいずれか一項に記載の油圧センサ取付構造。
【請求項７】
前記収容穴部は、前記上部ボディの下面から上下方向上側に窪む穴である、請求項１から６のいずれか一項に記載の油圧センサ取付構造。
【請求項８】
前記柱状部は、径方向外側面に前記シール部材が嵌め込まれる溝部を有する、請求項１から７のいずれか一項に記載の油圧センサ取付構造。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
互いに直交する３つの軸をＸ軸、Ｙ軸およびＺ軸としたとき、
基板と、
前記Ｚ軸方向に前記基板と間隙を介して対向し、開口部が設けられている可動体と、
前記可動体を支持し、前記Ｚ軸方向からの平面視で、前記開口部の中に配置されている支持部と、
を含み、
前記支持部は、
前記基板に固定され、前記Ｘ軸に沿って、配置されている第１固定部および第２固定部と、
前記第１固定部と前記第２固定部とを接続し、互いに離間して設けられている第１梁部および第２梁部と、
前記平面視で、前記第１梁部と前記可動体とを接続し、前記Ｙ軸に沿っている第３梁部と、
前記平面視で、前記第２梁部と前記可動体とを接続し、前記Ｙ軸に沿っている第４梁部と、
を含み、
前記可動体は、前記第３梁部と前記第４梁部とを回転軸として変位可能である、物理量センサー。
【請求項２】
請求項１において、
前記第１固定部と前記第３梁部との間の前記Ｘ軸に沿った最短距離は、
前記第１梁部の前記第３梁部との接続部と、前記第１固定部と、の間の前記Ｘ軸に沿った最短距離よりも小さく、
前記第２固定部と前記第３梁部との間の前記Ｘ軸に沿った最短距離は、
前記第２固定部と前記接続部との間の前記Ｘ軸に沿った最短距離よりも小さい、物理量センサー。
【請求項３】
請求項１または２において、
前記第１梁部および前記第２梁部は、変位可能である、物理量センサー。
【請求項４】
請求項１または２において、
前記可動体は、前記平面視で、前記回転軸を境として、
前記Ｘ軸方向の一方側に第１可動部と、
前記Ｘ軸方向の他方側に第２可動部と、
前記第１可動部と前記第２可動部とを接続している第５梁部および第６梁部と、
を含み、
前記開口部は、前記平面視で、前記第５梁部と前記第６梁部と間に配置され、
前記第３梁部は、前記第１梁部と前記第５梁部とを接続し、
前記第４梁部は、前記第２梁部と前記第６梁部とを接続している、物理量センサー。
【請求項５】
請求項４において、
前記第５梁部および前記第６梁部は、変位可能である、物理量センサー。
【請求項６】
請求項１乃至５のいずれか一項において、
前記第１固定部は、前記平面視で、前記第３梁部の側とは反対側に設けられている凸状の第１ストッパー部を含み、
前記第１ストッパー部と前記可動体との間の前記Ｘ軸に沿った最短距離は、前記第２固定部と前記第３梁部との間の前記Ｘ軸に沿った最短距離よりも小さい、物理量センサー。
【請求項７】
請求項１乃至６のいずれか一項において、
前記第１固定部は、前記平面視で、前記第３梁部側に凸状の第２ストッパー部を含み、
前記第２ストッパー部と前記可動体との間の前記Ｘ軸に沿った最短距離は、前記第１固定部と前記第３梁部との間の前記Ｘ軸に沿った最短距離よりも小さい、物理量センサー。
【請求項８】
請求項１乃至７のいずれか一項に記載の物理量センサーと、
前記物理量センサーからの出力信号に基づいて、演算処理する演算処理装置と、
を含む、電子機器。
【請求項９】
請求項１乃至７のいずれか一項に記載の物理量センサーと、
前記物理量センサーからの出力信号に基づいて、演算処理する演算処理装置と、
を含む、移動体。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
互いに直交する３つの軸をＸ軸、Ｙ軸およびＺ軸としたとき、
第１固定電極および第２固定電極が前記Ｘ軸に沿って並んで設けられている基板と、
前記Ｚ軸方向に前記第１固定電極と間隙を介して対向している第１シーソー部、および前記Ｚ軸方向に前記第２固定電極と間隙を介して対向している第２シーソー部、を含む可動体と、
前記Ｚ軸方向からの平面視で、前記Ｘ軸に沿って並んでいる前記第１シーソー部と前記第２シーソー部との間に配置され、前記基板に固定されている支持部と、
前記可動体と前記支持部とを接続し、前記Ｙ軸に沿っている連結部と、
前記Ｚ軸方向からの平面視で、前記基板に前記Ｘ軸に沿って前記第１固定電極と並んで設けられ、前記可動体と同電位であるダミー電極と、
を含み、
前記可動体は、前記Ｚ軸方向に、前記連結部を回転軸として揺動可能であり、
前記第１固定電極は、
前記基板上に設けられている第１電極材料層と、
前記基板上および前記１電極材料層上に設けられた第２電極材料層と、
を含み、
前記ダミー電極は、
前記基板上に設けられている第１電極材料層と、
前記基板上および当該１電極材料層上に設けられた第２電極材料層と、
を含み、
前記Ｚ軸方向からの平面視で、前記第１固定電極を構成している前記第２電極材料層、及び前記ダミー電極を構成している前記第２電極材料層は、
前記第１固定電極を構成している前記第１電極材料層と、
前記ダミー電極を構成している前記第１電極材料層と、
の間に設けられ、
前記Ｚ軸方向からの平面視で、前記第１固定電極を構成している前記第２電極材料層と、前記ダミー電極を構成している前記第２電極材料層と、の間の距離は、
前記第１固定電極を構成している前記第１電極材料層と、前記ダミー電極を構成している前記第１電極材料層と、の間の距離よりも小さい、物理量センサー。
【請求項２】
請求項１において、
前記ダミー電極は、前記Ｚ軸方向からの平面視で、
前記第１固定電極の前記第２固定電極の側とは反対側に設けられている第１ダミー電極と、
前記第１固定電極と前記第２固定電極との間に配置されている第３ダミー電極と、
から構成されている、物理量センサー。
【請求項３】
請求項１または２において、
前記第２固定電極の前記第１固定電極の側とは反対側に設けられている第２ダミー電極を含む、物理量センサー。
【請求項４】
請求項３において、
前記第２ダミー電極は、
前記基板上に設けられている第１電極材料層と、
前記基板上および当該１電極材料層上に設けられた第２電極材料層と、
を含む、物理量センサー。
【請求項５】
請求項４において、
前記Ｚ軸方向からの平面視で、前記第２固定電極を構成している前記第２電極材料層、及び前記第２ダミー電極を構成している前記第２電極材料層は、
前記第２固定電極を構成している前記第１電極材料層と、
前記第２ダミー電極を構成している前記第１電極材料層と、
の間に設けられ、
前記Ｚ軸方向からの平面視で、前記第２固定電極を構成している前記第２電極材料層と、前記第２ダミー電極を構成している前記第２電極材料層と、の間の距離は、
前記第２固定電極を構成している前記第１電極材料層と、前記第２ダミー電極を構成している前記第１電極材料層と、の間の距離よりも小さい、物理量センサー。
【請求項６】
請求項１または２において、
前記第２固定電極の前記第１固定電極の側とは反対側に設けられ、前記第２固定電極と同電位である第３固定電極と、
前記Ｚ軸方向からの平面視で、前記第２固定電極と前記第３固定電極との間に設けられ、前記ダミー電極と同電位である第４ダミー電極と、
を含む、物理量センサー。
【請求項７】
請求項６において、
前記第４ダミー電極は、
第１部分と、第２部分と、第３部分と、
を含み、
前記第１部分は、前記Ｚ軸方向からの平面視で、前記第２固定電極と前記第３固定電極との間に設けられ、
前記第２部分は、前記Ｚ軸方向からの平面視で、前記第３固定電極の前記第１部分の側とは反対側に設けられ、
前記第３部分は、前記第１部分と前記第２部分とを接続している、物理量センサー。
【請求項８】
請求項６または７において、
前記第４ダミー電極は、
前記基板上に設けられている第１電極材料層と、
前記基板上および当該１電極材料層上に設けられた第２電極材料層と、
を含む、物理量センサー。
【請求項９】
請求項１乃至８のいずれか一項において、
前記固定電極と前記ダミー電極との間には、絶縁層が設けられている、物理量センサー。
【請求項１０】
請求項１乃至９のいずれか一項において、
前記第１電極材料層の材質は、白金である、物理量センサー。
【請求項１１】
請求項１乃至１０のいずれか一項において、
前記第２電極材料層の材質は、チタンタングステンである、物理量センサー。
【請求項１２】
請求項１乃至１１のいずれか一項において、
前記基板と前記第１電極材料層との間に密着層が設けられている、物理量センサー。
【請求項１３】
請求項１乃至１２のいずれか一項に記載の物理量センサーを２つ含み、
前記２つは、前記Ｘ軸に沿って並んでいる第１の物理量センサーと第２の物理量センサーとから構成され、
前記第１の物理量センサーの前記第２シーソー部と、前記第２の物理量センサーの前記第２シーソー部とが対向している、物理量センサー。
【請求項１４】
請求項１乃至１３のいずれか一項に記載の物理量センサーを含む、電子機器。
【請求項１５】
請求項１乃至１３のいずれか一項に記載の物理量センサーを含む、移動体。
【手続補正２】
【補正対象書類名】明細書
【補正対象項目名】発明の名称
【補正方法】変更
【補正の内容】
【発明の名称】物理量センサー、電子機器、および移動体
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
窓を有する測定チャンバーと、遮光部とを有する試料分析用基板を回転させることによって、分析用基板に導入された試料を前記測定チャンバーへ移送させ、前記測定チャンバーにおいて試料を発光させ、前記発光を測定する試料分析装置であって、
試料が導入された試料分析用基板を前記試料分析用基板の回転軸周りに回転させるモータと、
前記モータを駆動する駆動回路と、
受光面を有し、前記測定チャンバーの窓を透過する前記試料からの発光による光子数を測定する光検出器と、
前記モータによって前記試料分析用基板を回転させながら、前記光検出器が測定した光子数を用いて、前記試料の発光の測定値を算出する制御回路と、
を備え、
前記光検出器は、前記試料分析用基板が回転する間に、前記測定チャンバーが前記受光面を通過することにより得られる光子数に基づく少なくとも１つの第１の測定値と、前記遮光部が前記受光面を通過することにより得られる光子数に基づく少なくとも１つの第２の測定値とを出力し、
前記制御回路は、前記少なくとも１つの第１の測定値を前記少なくとも１つの第２の測定値で補正することによって前記試料の発光の測定値を算出する、試料分析装置。
【請求項２】
前記光検出器は、前記試料分析用基板の１回転により得られた複数の測定値を出力し、
前記制御回路は、前記複数の測定値と、第１の閾値および第２の閾値とをそれぞれ比較し、第１の閾値以上の測定値を前記少なくとも１つの第１の測定値と決定し、前記複数の測定値のうち、第２の閾値以下の測定値を前記少なくとも１つの第２の測定値と決定する、請求項１に記載の試料分析装置。
【請求項３】
前記試料分析用基板の回転角度を検出し、回転角度信号を生成する回転角度検出回路をさらに備え、
前記光検出器は、前記試料分析用基板が１回転により得られた複数の測定値を出力し、
前記制御回路は、前記回転角度が第１の角度範囲であるときに前記光検出器によって測定された測定値および前記回転角度が第２の角度範囲であるときに前記光検出器によって測定された測定値をそれぞれ、前記少なくとも１つの第１の測定値および前記少なくとも１つの第２の測定値として前記算出を行う請求項１に記載の試料分析装置。
【請求項４】
前記第２の角度範囲は前記第１の角度範囲よりも大きい請求項３に記載の試料分析装置。
【請求項５】
前記制御回路は、前記回転角度が第１の角度範囲以外であるときに前記光検出器によって測定された測定値と、第３の閾値とを比較し、前記測定値が前記第３の閾値以上である場合に測定エラーを示す信号を生成する請求項３に記載の試料分析装置。
【請求項６】
前記試料分析用基板は、発光する他の試料が保持された他の測定チャンバーを有し、
前記光検出器は、前記試料分析用基板が１回転する間に、前記他の測定チャンバーが前記受光面を通過することにより得られる光子数に基づく少なくとも１つの第３の測定値をさらに出力し、
前記制御回路は、前記少なくとも１つの第３の測定値を前記少なくとも１つの第２の測定値で補正することによって前記他の試料の発光の測定値を算出する請求項１に記載の試料分析装置。
【請求項７】
前記光検出器は、光子を受け取り、光子数に応じたパルス信号を生成する光電子増倍素
子と、前記パルス信号をカウントする光子カウンタとを含む、請求項１から６のいずれかに記載の試料分析装置。
【請求項８】
窓を有する測定チャンバーと、遮光部とを有する試料分析用基板と、
請求項１から６のいずれかに記載の試料分析装置と、
を備えた試料分析システム。
【請求項９】
窓を有する測定チャンバーと、遮光部とを有する試料分析用基板に試料を導入する工程と、
受光面から入射する光子数を測定する光検出器を用いて、前記試料が導入された試料分析用基板を回転させながら、前記測定チャンバーが前記光検出器の受光面を通過することにより得られる光子数に基づく少なくとも１つの第１の測定値と、前記遮光部が前記受光面を通過することにより得られる光子数に基づく少なくとも１つの第２の測定値とを出力する、光子数を測定する工程と、
前記少なくとも１つの第１の測定値を前記少なくとも１つの第２の測定値で補正する工程と
を包含する、
試料の発光を測定する測定方法。
【請求項１０】
前記測定する工程において、前記光検出器は、前記試料分析用基板の１回転により得られた複数の測定値を出力し、
前記補正する工程は、前記複数の測定値と、第１の閾値および第２の閾値とをそれぞれ比較し、第１の閾値以上の測定値を前記少なくとも１つの第１の測定値と決定し、前記複数の測定値のうち、第２の閾値以下の測定値を前記少なくとも１つの第２の測定値と決定する、請求項９に記載の試料の発光を測定する測定方法。
【請求項１１】
前記測定する工程において、
前記試料分析用基板の回転角度を検出し、回転角度信号を生成し、
前記光検出器は、前記試料分析用基板の１回転により得られた複数の測定値を出力し、、
前記補正する工程は、前記回転角度が第１の角度範囲であるときに前記光検出器によって測定された測定値および前記回転角度が第２の角度範囲であるときに前記光検出器によって測定された測定値をそれぞれ、前記少なくとも１つの第１の測定値および前記少なくとも１つの第２の測定値として前記算出を行う請求項９に記載の試料の発光を測定する測定方法。
【請求項１２】
前記第２の角度範囲は前記第１の角度範囲よりも大きい請求項１１に記載の試料の発光を測定する測定方法。
【請求項１３】
前記測定する工程は、前記回転角度が第１の角度範囲以外であるときに前記光検出器によって測定された測定値と、第３の閾値とを比較し、前記測定値が前記第３の閾値以上である場合に測定エラーを示す信号を生成する請求項１１に記載の試料の発光を測定する測定方法。
【請求項１４】
前記試料分析用基板は、発光する他の試料が保持された他の測定チャンバーを有し、
前記測定する工程は、前記試料分析用基板が１回転する間に、前記他の測定チャンバーが前記受光面を通過することにより得られる光子数に基づく少なくとも１つの第３の測定値をさらに出力し、
前記補正する工程は、前記少なくとも１つの第３の測定値を前記少なくとも１つの第２の測定値で補正することによって前記他の試料の発光の測定値を算出する請求項９に記載の試料の発光を測定する測定方法。
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
当選役に関する抽選を実行し、該抽選の結果に基づいたゲーム結果を表示するゲームを繰り返し実行可能な遊技機であって、
複数の図柄がそれぞれに付された回転可能な複数のリールと、
回転中の前記複数のリールのそれぞれを停止させるための停止操作を受付可能な複数の停止操作手段と、
遊技の進行に伴って演出を実行する演出実行手段と、
前記複数の停止操作手段に対する停止操作が行われて前記複数のリールが停止した結果、該停止したリールに付された図柄によって特定の図柄組合せが示された場合には、遊技者に有利な特典を付与する特典付与手段と、
通常遊技状態と、前記通常遊技状態より有利度合いが高い高有利遊技状態と、前記通常遊技状態より有利度合いが高いものの前記高有利遊技状態より有利度合いが低い低有利遊技状態と、が少なくともあるなかでいずれかの遊技状態に制御する遊技状態制御手段と、
を備え、
前記遊技状態制御手段によって前記低有利遊技状態に制御されているときに、前記特典とは別の遊技者にとって有利な別特典を付与するか否かの別特典付与抽選を行うことを可能とし、
前記遊技状態制御手段によって前記低有利遊技状態に制御されているときに、前記別特典付与抽選によって前記別特典を付与する結果が所定回数得られた場合には、前記低有利遊技状態が終了したあとに前記高有利遊技状態へ制御されるものであり、
前記別特典付与抽選によって前記別特典を付与する結果が所定回数得られた場合には第１特別演出を実行し、前記別特典付与抽選によって前記別特典を付与する結果が得られたとしても前記所定回数に満たしていない場合には前記第１特別演出とは異なる第２特別演出を実行可能である
ことを特徴とする遊技機。
【手続補正２】
【補正対象書類名】明細書
【補正対象項目名】０００３
【補正方法】変更
【補正の内容】
【０００３】
そして従来の遊技機では、リール上で特定の図柄組み合わせが停止される等の特定条件が成立したときに有利遊技状態への移行に関する抽選を実行可能な遊技機が提案されている（例えば特許文献１）。
【手続補正３】
【補正対象書類名】明細書
【補正対象項目名】０００５
【補正方法】変更
【補正の内容】
【０００５】
上記のような従来の遊技機において、有利遊技状態への移行に関する抽選における演出については、これまでに遊技興趣を向上させる種々の工夫がなされているが、未だに改善の余地がある。
【手続補正４】
【補正対象書類名】明細書
【補正対象項目名】０００６
【補正方法】変更
【補正の内容】
【０００６】
そこで本発明は、有利遊技状態への移行に関する抽選における演出の遊技者への見せ方について工夫を施すことによる遊技興趣の向上を目的とする。
【手続補正５】
【補正対象書類名】明細書
【補正対象項目名】０００７
【補正方法】変更
【補正の内容】
【０００７】
前記目的を達成するため、本発明は、当選役に関する抽選を実行し、該抽選の結果に基づいたゲーム結果を表示するゲームを繰り返し実行可能な遊技機であって、複数の図柄がそれぞれに付された回転可能な複数のリールと、回転中の前記複数のリールのそれぞれを停止させるための停止操作を受付可能な複数の停止操作手段と、遊技の進行に伴って演出を実行する演出実行手段と、前記複数の停止操作手段に対する停止操作が行われて前記複数のリールが停止した結果、該停止したリールに付された図柄によって特定の図柄組合せが示された場合には、遊技者に有利な特典を付与する特典付与手段と、通常遊技状態と、前記通常遊技状態より有利度合いが高い高有利遊技状態と、前記通常遊技状態より有利度合いが高いものの前記高有利遊技状態より有利度合いが低い低有利遊技状態と、が少なくともあるなかでいずれかの遊技状態に制御する遊技状態制御手段と、を備え、前記遊技状態制御手段によって前記低有利遊技状態に制御されているときに、前記特典とは別の遊技者にとって有利な別特典を付与するか否かの別特典付与抽選を行うことを可能とし、前記遊技状態制御手段によって前記低有利遊技状態に制御されているときに、前記別特典付与抽選によって前記別特典を付与する結果が所定回数得られた場合には、前記低有利遊技状態が終了したあとに前記高有利遊技状態へ制御されるものであり、前記別特典付与抽選によって前記別特典を付与する結果が所定回数得られた場合には第１特別演出を実行し、前記別特典付与抽選によって前記別特典を付与する結果が得られたとしても前記所定回数に満たしていない場合には前記第１特別演出とは異なる第２特別演出を実行可能であることを特徴とする遊技機である。
【手続補正６】
【補正対象書類名】明細書
【補正対象項目名】０００８
【補正方法】変更
【補正の内容】
【０００８】
本発明によれば、有利遊技状態への移行に関する抽選における演出を改善することにより遊技興趣を向上させることができる。
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
通常遊技状態と、該通常遊技状態よりも有利な有利遊技状態を含んだ遊技状態の中からいずれかの遊技状態に制御する遊技状態制御手段と、
遊技者が操作可能な操作手段と、を備え、
前記有利遊技状態に制御されているときに前記操作手段に対して打ち方の指示表示を実行可能な遊技機であって、
特定の条件が成立した場合に、特典の付与に関する抽選を行う抽選手段と、
演出が表示される演出表示手段と、
第１の数を上限として、前記抽選を行うための情報に関する情報表示を前記演出表示手段に表示する情報表示手段と、を備え、
前記情報表示を表示する際、特定の態様を含んだ複数ある態様のうちのいずれかの態様を表示するものであり、
前記特定の態様が、前記第１の数より少ない第２の数が前記演出表示手段に表示されたときには前記特典が付与されるものであり、
前記第２の数だけ前記特定の態様が前記演出表示手段に表示されなくても前記特典が付与されうるものであり、
前記情報表示手段によって前記情報表示を前記演出表示手段に表示する際、前記特定の態様を表示する割合よりも前記特定の態様とは異なる態様を表示する割合の方が高く、
前記第２の数だけ前記特定の態様が前記演出表示手段に表示されて前記特典を付与する割合よりも、前記第２の数だけ前記特定の態様が前記演出表示手段に表示されずに前記特典を付与する割合の方が高い
ことを特徴とする遊技機。
【手続補正２】
【補正対象書類名】明細書
【補正対象項目名】０００５
【補正方法】変更
【補正の内容】
【０００５】
様々な遊技演出を実行して飽きないような工夫がされてはいるものの、まだまだ工夫が施された遊技機を提供する必要がある。
【手続補正３】
【補正対象書類名】明細書
【補正対象項目名】０００６
【補正方法】変更
【補正の内容】
【０００６】
そこで本発明は、工夫が施された遊技機を提供することを目的とする。
【手続補正４】
【補正対象書類名】明細書
【補正対象項目名】０００７
【補正方法】変更
【補正の内容】
【０００７】
前記目的を達成するため、本発明は、通常遊技状態と、該通常遊技状態よりも有利な有利遊技状態を含んだ遊技状態の中からいずれかの遊技状態に制御する遊技状態制御手段と、遊技者が操作可能な操作手段と、を備え、前記有利遊技状態に制御されているときに前記操作手段に対して打ち方の指示表示を実行可能な遊技機であって、特定の条件が成立した場合に、特典の付与に関する抽選を行う抽選手段と、演出が表示される演出表示手段と、第１の数を上限として、前記抽選を行うための情報に関する情報表示を前記演出表示手段に表示する情報表示手段と、を備え、前記情報表示を表示する際、特定の態様を含んだ複数ある態様のうちのいずれかの態様を表示するものであり、前記特定の態様が、前記第１の数より少ない第２の数が前記演出表示手段に表示されたときには前記特典が付与されるものであり、前記第２の数だけ前記特定の態様が前記演出表示手段に表示されなくても前記特典が付与されうるものであり、前記情報表示手段によって前記情報表示を前記演出表示手段に表示する際、前記特定の態様を表示する割合よりも前記特定の態様とは異なる態様を表示する割合の方が高く、前記第２の数だけ前記特定の態様が前記演出表示手段に表示されて前記特典を付与する割合よりも、前記第２の数だけ前記特定の態様が前記演出表示手段に表示されずに前記特典を付与する割合の方が高いことを特徴とする遊技機。
【手続補正５】
【補正対象書類名】明細書
【補正対象項目名】０００８
【補正方法】変更
【補正の内容】
【０００８】
本発明によれば、工夫が施された遊技機を提供することができる。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
家畜の子宮内に灌流液を吐出し、前記子宮内の前記灌流液を吸入することが可能に構成された吐出吸入部と、
前記吐出吸入部に前記灌流液を供給する供給部と、
複数種類の吐出パターンを組み合わせて、前記吐出吸入部から前記灌流液を吐出させる制御部と、
を具備する受精卵回収装置。
【請求項２】
請求項１に記載の受精卵回収装置であって、
前記供給部は、シリンジを有し、
前記制御部は、前記シリンジの往復動作を制御することにより、前記複数の吐出パターンを形成する
受精卵回収装置。
【請求項３】
請求項１又は２に記載の受精卵回収装置であって、
前記吐出吸入部から吸入された前記子宮内の前記灌流液を回収する回収部を更に具備する
受精卵回収装置。
【請求項４】
請求項１から３のいずれか１項に記載の受精卵回収装置であって、
前記吐出吸入部は、前記子宮を閉塞するバルーンを有する
受精卵回収装置。
【請求項５】
請求項１から４のいずれか１項に記載の受精卵回収装置であって、
前記制御部は、前記家畜の個体を識別する識別情報に基づき前記複数の吐出パターンの組み合わせを決定する
受精卵回収装置。
【請求項６】
家畜の子宮内に灌流液を所定の吐出パターンで吐出し、前記子宮内に吐出した前記灌流液を回収する、複数回のサイクルを行い、
前記複数のサイクルの各サイクルごとに前記吐出パターンを決定する
受精卵回収方法。
【請求項７】
請求項６に記載の受精卵回収方法であって、
前記複数回のサイクルを行う前に、前記子宮内の空気を排出する
受精卵回収方法。
【手続補正書】
【提出日】令和2年7月29日(2020.7.29)
【手続補正１】
【補正対象書類名】明細書
【補正対象項目名】００６２
【補正方法】変更
【補正の内容】
【００６２】
当然ながら、当業者であれば、その時々の要件や偶発的な要件を満足するために上述した本発明に様々な変更や変形を施すこと、例えば、閉鎖体と弁体との間にバイオネットカップリングを設けることができ、いずれにせよ、これらの変更や変形の全ては添付の特許請求の範囲により定まる保護範囲内に含まれる。
以下、本発明に含まれる態様を記す。
〔態様１〕  自転車の液圧ブレーキシステムに用いられるブリードバルブ（１０）であって、
−ブレーキキャリパー（２００）の座部（２０２）に回転自在に挿入可能であり、かつ第１の端（１１ａ）と、第２の端（１１ｂ）と、前記第１の端（１１ａ）において開口した軸方向内部空間（１６）と、を備える弁体（１１）であって、前記弁体（１１）が、さらに、前記第２の端（１１ｂ）の近傍にあり、かつ前記軸方向内部空間（１６）と流体連通している径方向ダクト（１８）を備え、前記弁体（１１）が、レンチによって係合されるように構成された径方向外側表面（１４）を具備する前記第１の端（１１ａ）にヘッド（１２）を備える、前記弁体（１１）と、
−前記弁体（１１）の前記ヘッド（１２）に挿入可能なヘッド（５１）を具備する端部（５０ａ）を有する閉鎖体（５０）であって、前記閉鎖体（５０）の前記ヘッド（５１）が、操作具によって係合されるように構成されたブラインドキャビティ（５４）を備える、前記閉鎖体（５０）と、を備え、
−前記弁体（１１）の前記内部空間（１６）が、前記内部空間（１６）内に前記閉鎖体（５０）を着脱可能に保持するように構成された、前記閉鎖体（５０）に作用する連結部材（１７）を備える、ブリードバルブ。
〔態様２〕態様１に記載のブリードバルブ（１０）において、前記連結部材（１７）が、前記内部空間（１６）を少なくとも部分的に形成する前記弁体（１１）の径方向内側にねじ付きの円筒壁を備え、前記閉鎖体（５０）が、前記円筒壁のねじ部と係合するように構成された径方向外側ねじ部を具備する円筒部（５３）を備える、ブリードバルブ。
〔態様３〕態様１または２に記載のブリードバルブ（１０）において、前記弁体（１１）の前記ヘッド（１２）が前記内部空間（１６）の入口開口（１５）を備え、前記入口開口（１５）は径方向内側に広がっており、前記閉鎖体（５０）の前記ヘッド（５１）は、前記入口開口（１５）と軸方向に当接するように相補形状を有する壁を備える、ブリードバルブ。
〔態様４〕態様１から３のいずれか１態様に記載のブリードバルブ（１０）において、前記弁体（１１）の前記第２の端（１１ｂ）が円錐台形の外側表面を備える、ブリードバルブ。
〔態様５〕態様１から４のいずれか１態様に記載のブリードバルブ（１０）において、前記弁体（１１）が、第１のねじ部と、前記第１のねじ部に対する第２の軸方向内側部分において、Ｏリング（２２）を受けるための環状のスロート（２１）とを有する径方向外壁（１９）を備える、ブリードバルブ。
〔態様６〕自転車の液圧ブレーキシステムのブリードバルブに用いられる液圧取付具（１００）であって、
−フレキシブルチューブを受けて保持するように構成された締結リップ（１０２）を具備する第１の端部（１０１）と、
−操作具によって係合されるように構成された径方向外側表面（１０５）を有する中央部（１０４）と、
−ブリードバルブのねじ付き空間に螺合するように構成されたねじ付き外側表面（１０７）を有する第２の端部（１０６）と、を備え、
−前記第１の端部（１０１）、前記中央部（１０４）および前記第２の端部（１０６）を軸方向貫通孔（１１０）が通っている、液圧取付具。
〔態様７〕態様６に記載の液圧取付具（１００）において、Ｏリング（１０９）によって係合される環状のスロート（１０８）を備え、前記環状のスロート（１０８）が前記中央部（１０４）と前記第２の端部（１０６）との間に配置されている、液圧取付具。
〔態様８〕態様６または７に記載の液圧取付具（１００）において、前記第１の端部（１０１）が、フレキシブルチューブを受けて保持するように構成された一連の楔形表面（１０３）を備える、液圧取付具。
〔態様９〕自転車の液圧ブレーキシステムに用いられるキットであって、
−態様１から５のいずれか１態様または複数の態様に記載のブリードバルブ（１０）と、
−態様６から８のいずれか１態様または複数の態様に記載の液圧取付具（１００）と
を備える、キット。
〔態様１０〕自転車の液圧システムに用いられるブレーキキャリパー（２００）であって、態様１から５のいずれか１態様または複数の態様に記載のブリードバルブ（１０）を備え、前記ブリードバルブ（１０）が、前記ブレーキキャリパー（２００）の軸方向外側表面（２０１）上に配置されている、ブレーキキャリパー。
〔態様１１〕態様１０に記載のブレーキキャリパー（２００）において、前記ブリードバルブ（１０）が、前記ブレーキキャリパー（２００）の２つのアクチュエータピストン間に液圧配置されている、ブレーキキャリパー。
【手続補正書】
【提出日】令和2年7月29日(2020.7.29)
【手続補正１】
【補正対象書類名】明細書
【補正対象項目名】００５８
【補正方法】変更
【補正の内容】
【００５８】
具体的に述べると、図５〜図９、図１０ａ〜図１０ｂ、図１１ａ〜図１１ｃおよび図１２ａ〜図１２ｃに示された好適な実施形態に言及して説明したピン１１０の構成、ならびに以下の図面に示された第１０の実施形態に言及して説明したピン１１０の構成のあらゆる組合せが可能である。
以下、本発明に含まれる態様を記す。
〔態様１〕自転車のクランクセット（５０）のクラウン（１２）に用いられるピン（１１０）であって、
−前記ピン（１１０）の長手方向軸（Ｘ）に沿って延び、かつ前記クラウン（１２）に固定されるように構成された取付部（２０）であって、前記長手方向軸（Ｘ）に垂直な横方向（Ｙ）に沿った第１寸法（２１ａ）を有する、取付部（２０）と、
−前記取付部（２０）に関連付けられ、かつ前記横方向（Ｙ）に沿った前記第１寸法（２１ａ）よりも大きい第２寸法（２１ｂ）を有するチェーン係合部（３０）と、
を備え、
前記チェーン係合部（３０）が、前記取付部（２０）に面し、かつ自転車のチェーン（４０）のリンク（４２）のプレート（４２ａ）と係合するように構成された第１の面（３２）と、前記取付部（２０）に対して反対方向に面する第２の面（３４）とを備えるピンにおいて、
前記第２の面（３４）が、前記長手方向軸（Ｘ）に対して９０°よりも小さい第１の角度[前記長手方向軸（Ｘ）を含み、かつ前記横方向（Ｙ）に対して垂直である前記ピン（１１０）の長手断平面において測定される角度]で傾斜した少なくとも１つの第１の表面部位（１３６）を備える、ことを特徴とするピン。
〔態様２〕態様１に記載のピン（１１０）において、前記第１の角度は６０°から７０°の間にあり、これらの極値も含む、ピン。
〔態様３〕態様１または２に記載のピン（１１０）において、前記少なくとも１つの第１の表面部位（１３６）が平坦である、ピン。
〔態様４〕態様１から３のいずれか一態様に記載のピン（１１０）において、前記第２の面（３４）が、前記長手方向軸（Ｘ）に対して実質的に垂直な平面上にある第２の表面部位（１３５）を備える、ピン。
〔態様５〕態様４に記載のピン（１１０）において、前記少なくとも１つの第１の表面部位（１３６）が、前記第２の表面部位（１３５）の両側に配置された２つの第１の表面部位（１３６）を備える、ピン。
〔態様６〕態様１から５のいずれか一態様に記載のピン（１１０）において、前記第２の面（３４）が、前記長手方向軸（Ｘ）に対して９０°よりも小さい第２の角度[前記長手方向軸（Ｘ）および前記横方向（Ｙ）を含む前記ピン（１１０）の長手断平面において測定される角度]で傾斜した少なくとも１つの第３の表面部位（１３８）を備える、ピン。
〔態様７〕態様５に従属する場合の態様６に記載のピン（１１０）において、前記少なくとも１つの第３の表面部位（１３８）が、前記第２の表面部位（１３５）の両側かつ２つの前記第１の表面部位（１３６）の間に配置された２つの第３の表面部位（１３８）を備える、ピン。
〔態様８〕態様１から７のいずれか一態様に記載のピン（１１０）において、前記第１の面（３２）が、前記取付部（２０）が前記クラウン（１２）に固定されているとき、前記クラウン（１２）上に形成された適合する回転防止当接表面部位（１３９ａ）と協働するように構成された回転防止当接表面部位（１３９）を備える、ピン。
〔態様９〕態様８に記載のピン（１１０）において、前記回転防止当接表面部位（１３９）は平坦であり、かつ前記長手方向軸（Ｘ）に対して９０°よりも大きい第３の角度[前記長手方向軸（Ｘ）および前記横方向（Ｙ）を含む前記ピン（１１０）の長手断平面において測定される角度]で傾斜している、ピン。
〔態様１０〕態様１から９のいずれか一態様に記載のピン（１１０）において、前記第１の面（３２）が、平坦かつ前記チェーン（４０）の前記リンク（４２）の前記プレート（４２ａ）と係合するように構成されたチェーン係合表面部位（１３３）を備え、前記チェーン係合表面部位（１３３）は、前記長手方向軸（Ｘ）に対して９０°よりも大きい第４の角度[前記長手方向軸（Ｘ）および前記横方向（Ｙ）を含む前記ピン（１１０）の長手断平面において測定される角度]で傾斜している、ピン。
〔態様１１〕態様８に従属する場合の態様１０に記載のピン（１１０）において、前記チェーン係合表面部位（１３３）および前記回転防止当接表面部位（１３９）は、前記取付部（２０）の両側に対称的に配置されている、ピン。
〔態様１２〕態様９に従属する場合の態様１０または１１に記載のピン（１１０）において、前記第４の角度の寸法が、前記第３の角度の寸法と同一である、ピン。
〔態様１３〕態様１から１２のいずれか一態様に記載のピン（１１０）において、前記第１の面（３２）が、前記クラウン（１２）に当接するように構成された当接表面（１３２ａ）を備え、前記取付部（２０）が前記当接表面（１３２ａ）から前記長手方向軸（Ｘ）に沿って延びる、ピン。
〔態様１４〕自転車のクランクセット（５０）に用いられるクラウン（１２）において、前記クラウンは、態様１から１３のいずれか一態様に記載の少なくとも１つのピン（１１０）を備えることを特徴とするクラウン。
〔態様１５〕ピン（１１０）の収容座部（１３）を備える自転車のクランクセット（５０）に用いられるクラウン（１２）において、前記収容座部（１３）が、前記ピン（１１０）が前記収容座部（１３）に収容されたとき、前記ピン（１１０）の上に形成された適合する回転防止当接表面部位（１３９）と協働するように構成された回転防止当接表面部位（１３９ａ）を備えることを特徴とするクラウン。
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
プレイ行為を実行すべき各実行時期が予め記述されているシーケンスデータに基づいて各実行時期を案内するとともに、前記プレイ行為が実行された場合に前記シーケンスデータの各実行時期を利用した評価基準に基づいて前記プレイ行為の実際の実行時期を評価することにより前記プレイ行為を少なくとも評価するタイミングゲームを提供するゲームシステムであって、
前記プレイ行為が入力される複数の入力範囲を有する入力手段と、
前記評価基準を緩和するための緩和条件を前記シーケンスデータの各実行時期が満たすか否か判別する条件判別手段と、
前記緩和条件が満たされない場合には前記評価基準に基づいて前記プレイ行為を評価する一方で、前記緩和条件が満たされる場合には前記評価基準が緩和された緩和基準に基づいて前記プレイ行為を評価する行為評価手段と、を備え、
前記条件判別手段は、ある入力範囲から隣り合う別の入力範囲に対して連続的に入力が行われる一つのプレイ行為に対応する特別な実行時期を前記シーケンスデータが含む場合に、当該特別な実行時期が前記緩和条件を満たすと判別し、
前記行為評価手段は、前記特別な実行時期に対応する前記一つのプレイ行為を前記緩和基準に基づいて評価する、
ゲームシステム。